(57)【要約】【課題】二次電池を用いた電源装置に関し、入力電力が供給される入力端子と外部負荷に供給する出力電力を導出する出力端子とを接続したことが検出できる電源装置を提供することを目的とする。【解決手段】外部電源から入力された入力電力を二次電池に充電される直流電力に変換する入力コンバータと、二次電池の直流電力を外部負荷に供給する出力電力に変換する出力コンバータと、外部負荷に供給する出力電力が導出される出力端子と入力電力を供給する入力端子とを接続したことを検出する検出手段とを有している。【選択図】図１
2016134947.tif 000002
【特許請求の範囲】
【請求項１】
二次電池と、
外部電源から入力された入力電力を供給する電源入力端子と、
前記入力電力を前記二次電池に充電される直流電力に変換する入力コンバータと、
前記二次電池の直流電力を外部負荷に供給する出力電力に変換する出力コンバータと、
外部負荷に供給する出力電力が導出される電源出力端子と、
前記二次電池の少なくとも電圧および電流を監視し、前記二次電池に対する充放電を制御する制御回路と、
前記電源出力端子と前記電源入力端子とを接続したことを検出する検出手段と、
を備えた電源装置。
【請求項２】
前記入力コンバータは少なくともＡＣ／ＤＣコンバータを有し、
前記出力コンバータは少なくともＤＣ／ＡＣコンバータを有し、
前記電源入力端子は電源プラグであり、
前記電源出力端子はソケットであり、
前記電源プラグは商用交流電源に接続されると共に、前記ソケットは商用交流電源から電源が供給される外部電気機器が接続されることを特徴とする請求項１記載の電源装置。
【請求項３】
前記制御回路は、前記検出手段により前記電源入力端子を前記電源出力端子に接続したことが検出された際に、前記二次電池の放電処理を行う廃棄モードに設定されることを特徴とする請求項１記載の電源装置。
【請求項４】
前記制御回路は、前記廃棄モードに設定された際に前記出力コンバータを駆動状態に設定することを特徴とする請求項３記載の電源装置。
【請求項５】
前記二次電池、前記入力コンバータ、前記出力コンバータおよび前記制御回路は放熱用ファンが設置された筐体内に備えられ、
前記制御回路は、前記廃棄モードに設定された際に前記ファンを回転させるモータを駆動する駆動回路を駆動状態に設定することを特徴とする請求項３記載の電源装置。
【請求項６】
前記制御回路による前記二次電池の充放電の監視状態を表示する表示器と、
廃棄モードを確定する廃棄確定スイッチと、
を備え、
前記制御回路により廃棄モードに設定された際に、前記表示器の表示が廃棄モードに切替えられた状態において、前記廃棄確定スイッチの操作により廃棄モードを確定することを特徴とする請求項３記載の電源装置。
【請求項７】
前記制御回路は、前記廃棄モードに設定された際に前記出力コンバータを間欠に駆動し、
前記検出手段は、前記電源入力端子から入力された入力信号が前記出力コンバータの動作に同期していることを検出することを特徴とする請求項１記載の電源装置。
【請求項８】
前記検出手段は、前記制御回路に設けられていることを検出することを特徴とする請求項７記載の電源装置。
【請求項９】
前記検出手段は、前記電源プラグあるいは前記ソケットから出力されるあらかじめ設定された特定信号を発生する信号発生回路と、前記信号発生回路から発生されて前記ソケットあるいは前記電源プラグから入力される特定信号を検出する信号検出回路とを備えることを特徴とする請求項１記載の電源装置。
【請求項１０】
前記制御回路は、前記検出手段により前記電源出力端子と前記電源入力端子との接続が検出されたことを報知することを特徴とする請求項１記載の電源装置。
【請求項１１】
前記制御回路は、前記検出手段により前記出力端子と前記入力端子との接続が検出されたことを表示器に表示して報知することを特徴とする請求項１０記載の電源装置。
【請求項１２】
前記制御回路は、前記検出手段により前記出力端子と前記入力端子との接続が検出されたことを発音体を発音させて報知することを特徴とする請求項１０記載の電源装置。
【請求項１３】
前記制御回路は、外部電源から入力電力が供給されない状態になると停電状態を検出すると共に、外部電源から入力電力の供給が再開された状態になると復電状態を検出し、
検出手段は、前記制御回路により停電状態と復電状態とが繰り返されたことを検出して前記出力端子と前記入力端子とが接続されたことを検出することを特徴とする請求項１記載の電源装置。
【発明の詳細な説明】
【技術分野】
【０００１】
本発明は、二次電池を用いて蓄電可能な電源装置に関し、外部入力電力を二次電池に充電し、二次電池に充電された電力を放電して外部負荷に供給する蓄電システムの電源装置に関するものである。
【背景技術】
【０００２】
近年、二次電池を用いた電源装置を備える蓄電システムが知られている。この蓄電システムは、電源装置に蓄電することにより夜間電力を昼間に活用したり、太陽光発電設備との連携により省電力化を図ったり、あるいは停電時の電力確保に用いられる。
【０００３】
ところで、電源装置に備える二次電池を廃棄する場合、前記二次電池を放電させて安全性を高める必要がある。
【０００４】
廃棄時に二次電池を放電させる電源装置としては、放電用抵抗およびスイッチを設け、廃棄時に前記スイッチを切替えることにより二次電池を放電用抵抗に接続し、二次電池を強制的に放電することが知られている。
【０００５】
なお、この出願の発明に関連する先行技術文献情報としては、例えば、特許文献１および２が知られている。
【先行技術文献】
【特許文献】
【０００６】
【特許文献１】特開２０１０−１８２５７９号公報
【特許文献２】特開平８−２２７７３０号公報
【発明の概要】
【発明が解決しようとする課題】
【０００７】
電源装置において、廃棄時に二次電池を強制的に放電させる廃棄モードに移行させる場合、この廃棄モードを実行させる状態は電源装置の通常の使用状態ではないため、誤動作を防止する観点から通常使用の状態と乖離した特殊な状態にすることが好ましい。
【０００８】
ところで、商用交流電源を使用する電源装置は、商用交流電源に接続される電源プラグおよび負荷となる外部電気機器の電源プラグが接続されるソケットを備えている。電源装置において、自身の電源プラグを自身のソケットに接続した状態は、容易に行える上に特殊な状態である。また、電源プラグと相違する形態の電源入力端子およびソケットと相違する形態の電源出力端子とを備える電源装置において、前記電源入力端子と前記電源出力端子とを接続した状態も電源プラグおよびソケットの接続と同様に容易に行える上に特殊な状態である。
【０００９】
一方、商用交流電源に接続される電源プラグおよび負荷となる外部電気機器の電源プラグが接続されるソケットを備える電源装置は、前記ソケットに前記電源プラグを誤って接続してしまう可能性がある。
【００１０】
上述の電源プラグおよびソケットのように電源入力端子と電源出力端子とが接続可能である形態である場合も同様に、電源入力端子と電源出力端子とを誤って接続してしまう可能性がある。
【００１１】
本発明は、このような事情を鑑み、自身の電源入力端子と電源出力端子とを接続したことを検出可能な電源装置を提供することを目的とする。
【課題を解決するための手段】
【００１２】
上記目的を達成するために本発明は、外部負荷に供給する出力電力が導出される電源出力端子と入力電力を供給する電源入力端子とを接続したことを検出する検出手段を有している。
【発明の効果】
【００１３】
以上のように本発明によれば、電源装置自身が有する電源入力端子および電源出力端子を互いに接続することを検出するようにしているので、この検出に応じて二次電池の放電処理を行う廃棄モードに設定されるようにすることで、電源装置自身が有する電源入力端子および電源出力端子を互いに接続するという、電源装置の通常使用時にあり得ない特殊な接続状態によって廃棄モードに設定でき、廃棄モードへの移行が誤操作なく分かり易い操作により行える。
【００１４】
また、電源装置自身が有する電源入力端子および電源出力端子を互いに接続することを検出しているので、その検出を報知することで、誤って電源入力端子および電源出力端子を互いに接続したことを気づかせることができる。
【００１５】
また、検出手段により電源入力端子および電源出力端子を互いに接続したことが検出されたことを経由して、二次電池の放電処理を行う廃棄モードに設定されるようにすると、廃棄モードの設定時に電源装置の入力端と電源装置の出力端とが接続されている状態であるので、電源装置の入力端側に接続される入力コンバータおよび電源装置の出力端側に接続される出力コンバータに放電経路が形成される。その為、前記入力コンバータおよび前記出力コンバータの電源装置の内部回路が二次電池の負荷となり、前記入力コンバータおよび前記出力コンバータを用いて二次電池の放電が行える、という有利な効果が得られる。
【図面の簡単な説明】
【００１６】
【図１】本発明の実施の形態による第１の実施例の電源装置を示す回路ブロック図。
【図２】本発明の実施の形態による第２の実施例の電源装置を示す回路ブロック図。
【発明を実施するための形態】
【００１７】
以下、本発明の実施の形態について、図１を用いて説明する。
（実施の形態）
図１は本発明の実施の形態による第１の実施例の電源装置を示す回路ブロック図である。
【００１８】
同図において、電源装置１は筐体２に収容され、外部電源となる商用交流電源に接続される電源プラグ３および外部負荷となる外部電気機器の電源プラグが接続されるソケット４を備えている。電源プラグ３は電源装置１の入力端子１Ａに、ソケット４は電源装置１の出力端子１Ｂにそれぞれ接続されている。
【００１９】
電源装置１は筐体２内にＡＣ／ＤＣコンバータ５、ＤＣ／ＤＣコンバータ６、充放電回路７、二次電池８、ＤＣ／ＡＣコンバータ９、切替回路１０および制御回路１１を備えている。ＡＣ／ＤＣコンバータ５は電源プラグ３に供給された交流電力を直流電力に変換する。ＤＣ／ＤＣコンバータ６はＡＣ／ＤＣコンバータ５から出力される直流電力を二次電池８を充電する直流電力に変換する。本実施形態において、ＡＣ／ＤＣコンバータ５およびＤＣ／ＤＣコンバータ６が入力コンバータに相当するが、これに限定されない。入力コ
ンバータは少なくともＡＣ／ＤＣコンバータを含めばよい。
【００２０】
充放電回路７は二次電池８に対し充電および放電を選択的に行わせる。二次電池８はＤＣ／ＤＣコンバータ６から出力される直流電力を充電する。ＤＣ／ＡＣコンバータ９は二次電池８から出力された直流電力を交流電力に変換する、いわゆるインバータである。ＤＣ／ＡＣコンバータ９は二次電池８の直流電力をソケット４に接続される外部負荷に供給する出力電力に変換する出力コンバータに相当する。切替回路１０は第１スイッチ１０Ａおよび第２スイッチ１０Ｂを有し、第１スイッチ１０Ａおよび第２スイッチ１０Ｂを選択的に開閉させてＤＣ／ＡＣコンバータ９から出力される交流電力と電源プラグ３に供給された交流電力とを切替えてソケット４に供給する。制御回路１１は二次電池８の電圧、電流および温度を監視し、ＡＣ／ＤＣコンバータ５、ＤＣ／ＤＣコンバータ６、充放電回路７、ＤＣ／ＡＣコンバータ９を制御し、二次電池８に対する充放電を制御する、いわゆるバッテリーマネージメントユニットである。
【００２１】
また、制御回路１１は切替回路１０の第１スイッチ１０Ａおよび第２スイッチ１０Ｂの開閉を制御して使用電力系統の切替えを制御する。
【００２２】
制御回路１１は、外部電源から入力電力が供給されない状態になると停電状態を検出すると共に、外部電源から入力電力の供給が再開された状態になると復電状態を検出する。そして、制御回路１１は、第１スイッチ１０Ａを閉じてＤＣ／ＡＣコンバータ９の出力端をソケット４に接続する経路を形成し、第２スイッチ１０Ｂを閉じて電源プラグ３に供給された交流電力をソケット４に供給する経路を形成する。
【００２３】
二次電池８は、例えばリチウムイオン、リチウムポリマーやニッケル水素などの二次電池セルを複数直列に接続した組電池により構成されている。制御回路１１は、二次電池８を構成する各電池セルの電圧、電流および温度を個別に監視し、二次電池８を管理する電池管理機能を有している。制御回路１１は、ＤＣ／ＤＣコンバータ６から出力される直流電力を更にＤＣ／ＤＣコンバータ１３により変換した直流電力を電源として用いている。
【００２４】
また、制御回路１１は充放電回路７および切替回路１０の制御により少なくとも商用交流電力を出力する商用電源出力モード、二次電池８に蓄えられた電力を使用する自己放電出力モード、および二次電池８を強制的に放電処理する廃棄モードに設定する制御を行う。
【００２５】
また、電源装置１は筐体２に表示器１４および操作パネル１５を有している。表示器１４は電源装置１の動作状態や動作モード、あるいは二次電池８の蓄電量などを表示する。操作パネル１５は動作モードを手動により入力する際に操作される。
【００２６】
また、電源装置１は筐体２に設置される放熱用ファン１６および放熱用ファン１６を回転させるファンモータ１７を駆動する駆動回路１８を備えている。放熱用ファン１６は、回転されることにより筐体２内部の熱を外部に放出する。
【００２７】
以上の構成において、電源プラグ３が商用交流電源に接続され、入力端子１Ａに交流電力が供給されている状態において、制御回路１１は商用電源出力モードに設定し、切替回路１０を入力端子１０Ｂに供給された交流電力を選択するように切替える。そのため、商用電源出力モードにおいて、電源プラグ３を介して入力端子１Ａに供給された交流電力が出力端子１Ｂから導出され、その交流電力がソケット４に接続される外部電気機器（図示せず）の電源として供給される。
【００２８】
一方、二次電池８の充放電は、二次電池８の充電容量に応じて制御回路１１による充放
電回路７の制御により行われ、例えば二次電池８の端子電圧に基づいて行われる。二次電池８はＡＣ／ＤＣコンバータ５およびＤＣ／ＤＣコンバータ６により変換された直流電力により充電される。また、二次電池８はＤＣ／ＡＣコンバータ９に供給される電力により放電される。入力端子１Ａに商用交流電力が供給されている状態において、二次電池８は満充電まで充電が行われ、満充電の状態を維持するようになっている。
【００２９】
商用交流電源の停電などにより入力端子１Ａに交流電力が供給されなくなると、制御回路１１は停電状態を検出し、自己放電出力モードに移行する。自己放電出力モードにおいて、制御回路１１はＤＣ／ＡＣコンバータ９を作動させると共に、切替回路１０をＤＣ／ＡＣコンバータ９の出力を出力端子１Ｂから導出するように切替える。そのため、二次電池８に充電された直流電力が放電され、その直流電力をＤＣ／ＡＣコンバータ９により変換した交流電力がソケット４に接続される外部電気機器（図示せず）の電源として供給されるようになる。
【００３０】
なお、自己放電出力モードの設定は、操作パネル１５を用いた手動操作により行うことができる。
【００３１】
自己放電出力モードにおいて、商用交流電源の復電により入力端子１Ａに交流電力の供給が開始されると、制御回路１１は復電状態を検出し、商用電源出力モードに移行する。そのため、切替回路１０は入力端子１Ａに供給された交流電力を出力端子１Ｂから導出するように切替えられ、出力端子１Ｂから導出される交流電力がソケット４に接続される外部電気機器（図示せず）の電源として供給される。
【００３２】
次に、電源プラグ３をソケット４に接続した状態の動作について説明する。
【００３３】
電源プラグ３を商用交流電源から切り離すと、入力端子１Ａに交流電力が供給されなくなり、制御回路１１は停電状態を検出して自己放電出力モードに移行する。そのため、ＤＣ／ＡＣコンバータ９が作動すると共に、切替回路１０が切替えられ、ＤＣ／ＡＣコンバータ９からの交流電力が出力端子１Ｂから導出するようになる。電源プラグ３をソケット４に接続した状態であると、出力端子１Ｂから導出される交流電力は、ソケット４および電源プラグ３を経由して入力端子１Ａに供給される。この結果、制御回路１１は復電状態を検出し、商用電源出力モードに移行する。
【００３４】
したがって、電源プラグ３をソケット４に接続すると、自己放電出力モードと商用電源出力モードとを繰り返し、電源装置１はハンチング現象を発生する。
【００３５】
検出部１２はこのハンチング現象が所定時間内に所定回数繰り返されたことを検出して電源プラグ３をソケット４に接続した状態であることを検出する。
【００３６】
本実施形態では、このハンチング現象が検出されたのち、更に制御回路１１はＤＣ／ＡＣコンバータ９を通常の駆動とは相違する間欠駆動させ、検出部１２は入力端子１Ａに供給される入力信号が間欠駆動することによりＤＣ／ＡＣコンバータ９から発生される間欠的に交流信号と同期していることを検出する。そして、検出部１２は入力端子１Ａに供給される入力信号がＤＣ／ＡＣコンバータ９を間欠駆動したことにより発生された交流信号と同期していることを検出する。これにより検出部１２は電源プラグ３をソケット４に接続されたことを確認する。
【００３７】
検出部１２により電源プラグ３とソケット４との接続が検出されると、その接続を報知する表示が表示器１４により行われる。また、本実施形態においては、併せて、電源プラグ３とソケット４との接続を報知する警告音がブザーなどの発音体１９により行われる。
【００３８】
次に、廃棄モードについて説明する。
【００３９】
廃棄モードは二次電池８を廃棄する場合に二次電池８を強制的に放電処理する際に設定される。本実施の形態によれば、制御回路１１に有する検出部１２が電源プラグ３をソケット４に接続したことを検出し、その検出を経由して廃棄モードに設定される。
【００４０】
検出部１２により電源プラグ３とソケット４との接続が検出されると、二次電池８は強制放電される廃棄モードの実行準備状態となる。表示器１４は電源プラグ３とソケット４との接続を報知する表示が行われると共に、二次電池８の強制放電を実行させる廃棄モードの実行を確定するか否かを選択させる画面が表示される。
【００４１】
表示器１４がこの表示状態のとき、操作パネル１５を操作して廃棄モードの実行を確定すると、電源装置１は廃棄モードの実行状態となる。電源装置１の廃棄モードの実行状態において、制御回路１１は切替回路１０をＤＣ／ＡＣコンバータ９の出力を出力端子１Ｂから導出するように切替える。そのため、電源装置１の出力端子１Ｂと入力端子１Ａとがソケット４および電源プラグ３を介して電源装置１の入力端側に接続されるＡＣ／ＤＣコンバータ５、ＤＣ／ＤＣコンバータ６および電源装置１の出力端側に接続されるＤＣ／ＡＣコンバータ９の放電経路が形成される。
【００４２】
また、電源装置１の廃棄モードの実行状態において、制御回路１１はＤＣ／ＡＣコンバータ９を連続動作させ、ＡＣ／ＤＣコンバータ５、ＤＣ／ＤＣコンバータ６を動作させる。そのため、ＡＣ／ＤＣコンバータ５、ＤＣ／ＤＣコンバータ６およびＤＣ／ＡＣコンバータ９が二次電池８の負荷となり、二次電池８の放電がＡＣ／ＤＣコンバータ５、ＤＣ／ＤＣコンバータ６およびＤＣ／ＡＣコンバータ９を用いて行われる。
【００４３】
また、電源装置１の廃棄モードの実行状態において、制御回路１１は温度に関係なくファンモータ１７を強制駆動するように駆動回路１８を駆動して放熱用ファン１６を回転させる。
【００４４】
以上のように、電源装置１の廃棄モードの実行状態において、電源装置１の内部回路が動作され二次電池８の負荷として利用される。すなわち、二次電池８の廃棄時における強制的な放電が電源装置１の内部回路を利用して行える。そして、この廃棄モードが実行される場合、二次電池８の負荷として利用可能な電源装置１の内部回路は可能な限り利用されるようになっているので、二次電池８の放電時間を短縮するのに有利である。
【００４５】
したがって、本実施形態の場合、電源装置１は自身が有する電源プラグ３およびソケット４を互いに接続するという、電源装置１の通常使用時に用いない特殊な接続状態を報知し、この接続状態を経由して廃棄モードに移行する。そのため、誤って電源プラグ３をソケット４に接続した場合はその誤接続に気づかされ、一方、廃棄モードへの移行は誤操作なく行える。
【００４６】
二次電池８の強制放電を実行する廃棄モードの実行は、誤動作防止の安全策のため廃棄モードへ移行した状態で更に操作パネル１５の所定のスイッチを操作することにより確定される。操作パネル１５は少なくとも一部がタッチパネルにより構成されることが好ましい。操作パネル１５がタッチパネルにより構成される場合、操作パネル１５は表示器１４を含むことになる。操作パネル１５をタッチパネルにより構成することにより、廃棄モードの実行を確定するスイッチをタッチパネルに表示し、このタッチパネル上のスイッチの操作により廃棄モードの実行が確定されるようになる。なお、この廃棄モードの実行を確定するスイッチはタッチパネル上のスイッチに限定されるものではなく、機構的なスイッ
チの操作でも良いし、省略させることも考えられる。
【００４７】
また、電源プラグ３とソケット４との接続を表示器１４による表示および発音体１９による警告音により報知したが、これに限定されるものではなく、電源装置の電源オン時に点灯する電源表示ＬＥＤを点滅させたり、電源オン時と相違する表示色に表示することも好適である。
【００４８】
なお、二次電池８の放電時間の短縮を図る場合、電源装置１に二次電池８の廃棄時における強制的な放電用の負荷抵抗およびこの負荷抵抗を廃棄モードの実行時に接続するスイッチを設け、廃棄時における二次電池８の強制的な放電にこの負荷抵抗と電源装置１の内部回路とを併用して用いるようにしても良い。
【００４９】
図２は図１に示した実施例とは相違する本発明の実施の形態による第２の実施例の電源装置を示す回路ブロック図である。図２において図１と同一の構成要素に関しては同一の図番を付している。
【００５０】
電源プラグ３をソケット４に接続したことを検出するために図１の検出部１２に代えてこの検出部１２と動作が相違する検出部２０、信号発生回路２１および信号検出回路２２を有している。なお、検出部２０、信号発生回路２１および信号検出回路２２が電源プラグ３をソケット４に接続したことを検出するための検出手段に相当する。信号発生回路２１および信号検出回路２２は一方または両方を制御回路１１内に設けることも可能であり、制御回路１１と別に設けても可能である。
【００５１】
電源プラグ３を商用交流電源から切り離すと、入力端子１Ａに交流電力が供給されなくなり、制御回路１１は停電状態を検出して自己放電出力モードに移行する。この自己放電出力モードの移行時において、切替回路１０は第２スイッチ１０Ｂが開放された状態に切替えられ、信号発生回路２１はあらかじめ設定された所定のパルスなどの特定信号を発生する。その特定信号は出力端子１Ｂから出力され、ソケット４および電源プラグ３を介して信号検出回路２２に入力される。そのため、信号検出回路２２は信号発生回路２１から発生された特定信号を検出する。信号検出回路２２により特定信号が検出されると、検出部２０は電源プラグ３をソケット４に接続した状態であることを検出する。検出部２０により電源プラグ３とソケット４との接続が検出されると、図１の電源装置１について説明した動作と同様に、その接続を報知する表示が表示器１４により行われ、併せて、電源プラグ３とソケット４との接続を報知する警告音が発音体１９により行われる。
【００５２】
廃棄モードの設定も図１の電源装置１について説明した動作と同一であり、制御回路１１に有する検出部２０が電源プラグ３をソケット４に接続したことを検出し、その検出を経由して廃棄モードに設定される。
【００５３】
検出部２０により電源プラグ３とソケット４との接続が検出されると、表示器１４は電源プラグ３とソケット４との接続を報知する表示が行われると共に、二次電池８の強制放電を実行させる廃棄モードの実行を確定するか否かを選択させる画面が表示される。そのため、操作パネル１５を操作して廃棄モードの実行を確定すると、電源装置１は廃棄モードの実行状態となる。
【００５４】
本第２の実施例において、電源プラグ３をソケット４に接続した状態であることの検出は、自己放電出力モードの移行時に信号検出回路２２により信号発生回路２１から発生された特定信号を検出して行っているが、この検出はハンチング現象を検出された後に実行されるようにしても良い。
【００５５】
また、本第２の実施例において、入力端子１Ａ側に信号検出回路２２が、出力端子１Ｂ側に信号発生回路２１がそれぞれ接続されているが、信号発生回路２１は入力端子１Ａ側に接続され、信号検出回路２２は出力端子１Ｂ側に接続されても良い。
【００５６】
以上説明した実施の形態は、本発明の理解を容易にするためのものであり、実施の形態により説明した電源装置１を構成する各構成要素は種々変更可能であり、本発明を限定して解釈するためのものではない。実施の形態において、入力コンバータとしてＡＣ／ＤＣコンバータ５、ＤＣ／ＤＣコンバータ６が相当するが、これに限定されるものではなく、入力電力が直流の場合はＤＣ／ＤＣコンバータ６が入力コンバータに相当することになる。また、出力コンバータとしてＤＣ／ＡＣコンバータ９が相当するが、これに限定されるものではなく、直流の電源電力を出力する場合はＤＣ／ＡＣコンバータ９の代わりに設けられるＤＣ／ＤＣコンバータが相当することになる。
【００５７】
また、実施の形態において、外部電源から入力された入力電力を供給する電源入力端子は商用交流電源に接続される電源プラグ３が相当し、外部負荷に供給する出力電力が導出される電源出力端子はソケット４が相当するが、これに限定されるものではない。供給される入力電力によって電源入力端子の形態は種々変更され、導出させる出力電力によって電源出力端子の形態は種々変更される。
【００５８】
本発明は、その趣旨を逸脱することなく変更、改良され得るとともに、本発明にはその等価物も含まれる。
【産業上の利用可能性】
【００５９】
本発明による電源装置は、電源入力端子により供給される外部入力電力を二次電池に充電し、二次電池に充電された電力を放電して電源出力端子に接続される外部負荷に供給する蓄電システムに有用である。
【符号の説明】
【００６０】
１  電源装置
２  筐体
３  電源プラグ（電源入力端子）
４  ソケット（電源出力端子）
５  ＡＣ／ＤＣコンバータ（入力コンバータ）
６  ＤＣ／ＤＣコンバータ（入力コンバータ）
７  充放電回路
８  二次電池
９  ＤＣ／ＡＣコンバータ（出力コンバータ）
１０  切替回路
１１  制御回路
１２  検出部
１３  ＤＣ／ＤＣコンバータ
１４  表示器
１５  操作パネル
１６  放熱用ファン
１７  ファンモータ
１８  駆動回路
１９  発音体
２０  検出部
２１  信号発生回路
２２  信号検出回路
【図１】
2016134947.tif 000003
【図２】
2016134947.tif 000004